(57)【要約】  無線ネットワークコントローラと１つ以上の基地局を含む、単一周波数ネットワークにおけるブロードキャストサービスデータの送信方法であって、各基地局のセルは１つ以上のセクタを含み、前記方法は、前記無線ネットワークコントローラがブロードキャストサービスデータと第一送信時刻を基地局に送信し、前記基地局が、前記第一送信時刻の経過後に、前記ブロードキャストサービスデータを自身に含まれた各セクタに送信し始め、基地局アドレスを共有している隣接セクタに対して、それぞれ異なる送信時刻に送信する送信方法を開示する。又、単一周波数ネットワークにおいて、ブロードキャストサービスデータを送信する送信システムと基地局を開示する。本解決手段によれば、単一周波数ネットワークの同一セルの隣接セクタの境界地帯に多発していた受信信号の急速減衰の現象を除去し、受信信号の性能を向上できる。
2010510699.tif 000002
【特許請求の範囲】
【請求項１】
単一周波数ネットワークにおけるブロードキャストサービスデータの送信方法であって、前記単一周波数ネットワークは、無線ネットワークコントローラと、１つ以上の基地局を含み、各基地局のセルは１つ以上のセクタを含み、前記方法は、
前記無線ネットワークコントローラが、ブロードキャストサービスデータと第一送信時刻を基地局に送信するステップＡと、
前記基地局が、前記第一送信時刻の経過後に、前記ブロードキャストサービスデータを自身に含まれた全セクタに送信し始め、互いに隣接する各セクタに対して、それぞれ異なる送信時刻に、前記ブロードキャストサービスデータを送信するステップＢと、
を有することを特徴とする送信方法。
【請求項２】
予め前記各セクタをグループ化し、同一セル内の隣接セクタを違ったグループに分け、各グループを異なった時刻遅延単位に対応させておき、
その場合の前記ステップＢは、
前記基地局は、前記第一送信時刻と自身に含まれた各セクタの対応する時刻遅延単位により、前記ブロードキャストサービスデータを各セクタに送信する第二送信時刻を計算し、前記第一送信時刻に当該セクタの対応する時刻遅延単位を加えることで、各セクタ毎の対応する前記第二送信時刻を算出し、各セクタの対応する第二送信時刻により、前記ブロードキャストサービスデータを当該セクタに送信すること更にを含むことを特徴とする、請求項１記載の送信方法。
【請求項３】
前記時刻遅延単位は、前記基地局から送信されたブロードキャストサービスデータのメインパスが、ユーザー端末のマルチパス受信ウインドウに納められたかどうかにより設定されることを特徴とする、請求項２記載の方法。
【請求項４】
前記時刻遅延単位は、前記ユーザー端末のマルチパス受信ウインドウのサイズから、前記ブロードキャストサービスデータを送信することに用いられたパス遅延を減算して、得られた結果より小さい値、若しくはそれと同じ値で、設定されることを特徴とする、請求項３記載の方法。
【請求項５】
ブロードキャストサービスデータと第一送信時刻を基地局に送信する無線ネットワークコントローラと、
前記第一送信時刻の経過後に、前記ブロードキャストサービスデータを自身に含まれた各セクタに送信し始め、且つ互いに隣接するセクタに対して、それぞれ異なる送信時刻に前記ブロードキャストサービスデータを送信する基地局と
を有することを特徴とする、単一周波数ネットワークにおけるブロードキャストサービスデータの送信システム。
【請求項６】
前記基地局は、自身に含まれた各セクタの対応する時刻遅延単位を保存し、互いに隣接するセクタに対して、それぞれ異なる時刻遅延単位に対応させ、前記第一送信時刻と自身に含まれた各セクタの対応する時刻遅延単位により、ブロードキャストサービスデータを各セクタに送信する第二送信時刻を計算し、前記第一送信時刻に当該セクタの対応する時刻遅延単位を加えることで、各セクタ毎の対応する第二送信時刻を算出し、算出した各セクタの対応する第二送信時刻により、前記ブロードキャストサービスデータを当該セクタに送信することを特徴とする、請求項５記載の送信システム。
【請求項７】
ユーザー端末のマルチパス受信ウインドウのサイズから、ブロードキャストサービスデータを送信することに用いられたパス遅延を減算して、得られた結果より小さい値、もしくはそれと同じ値で、前記時刻遅延単位を設定することを特徴とする、請求項６記載の送信システム。
【請求項８】
無線ネットワークコントローラに接続され、
無線ネットワークコントローラから送信された第一送信時刻により、ブロードキャストサービスデータを自身に含まれた各セクタに送信する送信時刻を確定し、また、互いに隣接するセクタに対して、それぞれと違った送信時刻を確定する時間確定ユニットと、
確定された送信時刻に、対応する各セクタに前記ブロードキャストサービスデータを送信する送信ユニットと、
を含むことを特徴とする基地局。
【請求項９】
前記時間確定ユニットは
前記無線ネットワークコントローラから送信された第一送信時刻と、前記基地局自身に含まれた各セクタ毎の対応する時刻遅延単位を保存し、隣接セクタはそれぞれ異なる時刻遅延単位に対応する、保存ユニットと、
前記無線ネットワークコントローラから送信された第一送信時刻と前記各セクタの対応する時刻遅延単位により、各セクタ毎のブロードキャストサービスデータを送信する第二送信時刻を算出し、各セクタ毎の第二送信時刻を、前記第一送信時刻に当該セクタの対応する時刻遅延単位を加えることで算出する計算ユニットと
を更に含むことを特徴とする請求項８記載の基地局。
【請求項１０】
前記時刻遅延単位は、ユーザー端末のマルチパス受信ウインドウのサイズから、ブロードキャストサービスデータを送信することに用いられたパス遅延を減算し、得られた結果より小さい値、若しくはそれと等しい値を確定することを特徴とする請求項９記載の基地局。
【発明の詳細な説明】
【技術分野】
【０００１】
本発明は無線通信技術領域に関連し、特に単一周波数ネットワークにおいて、ブロードキャストサービスデータを送信する方法、システム及び基地局に関する。
【背景技術】
【０００２】
移動通信とインターネットの急激な発展に伴い、数多くのマルチメディアサービスが生み出され、ビデオ・オン・デマンド・テレビ放送・ビデオ会議・オンライン教育、インタラクティブゲームのような、同じデータを同時刻に多数のユーザーに受信させる移動マルチメディアサービスも出現している。このようなサービスは一般のデータサービスと比較して、大容量のデータと長時間の継続通信等の特性を持つ。移動通信ネットワークリソースを効率的に利用するため、標準化団体である第三世代パートナーシッププロジェクト（３ｒｄ  Ｇｅｎｅｒａｔｉｏｎ  Ｐａｒｔｎｅｒｓｈｉｐ  Ｐｒｏｊｅｃｔの略称、以下３ＧＰＰという）は、ブロードキャストとマルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ，ＭＢＭＳ）を提案した。ＭＢＭＳとは、１つのデータソースを多数のユーザーに一斉に送信する一対多のデータサービスであり、移動コアネットワークとアクセスネットワークを含むネットワークリソースの共有、特に無線インタフェース（Ａｉｒ  Ｉｎｔｅｒｆａｃｅ）リソースの共有を実現でき、低速度且つテキストオンリー形式のメッセージのマルチキャストサービスとブロードキャストサービスだけではなく、高速通信を必要とするマルチメディアデータのマルチキャストサービスとブロードキャストサービス（例えば、モバイルテレビ放送）にも対応できる技術である。
【０００３】
従来の「３ＧＰＰ  Ｒｅｌｅａｓｅ  ６」において、ＭＢＭＳのスペクトル効果はやや低く、通常は０．２〜０．０２ｂｉｔ／Ｈｚ／ｓしかない。そのため、３ＧＰＰは、ＬＴＥ（Ｌｏｎｇ  Ｔｅｒｍ  Ｅｖｏｌｕｔｉｏｎの略称、以下ＬＴＥという）アーキテクチャで、改善したマルチメディアブロードキャスト・マルチキャストサービス（Ｅｎｈａｎｃｅｄ  Ｍｕｌｔｉｍｅｄｉａ  Ｂｒｏａｄｃａｓｔ／Ｍｕｌｔｉｃａｓｔ  Ｓｅｒｖｉｃｅの略称、以下Ｅ−ＭＢＭＳという）の研究に着手し始め、Ｅ−ＭＢＭＳに従来の工業地上波放送標準に含まれたＳＦＮ（単一周波数ネットワーク）（Ｓｉｎｇｌｅ  Ｆｒｅｑｕｅｎｃｙ  Ｎｅｔｗｏｒｋの略称、以下ＳＦＮという）伝送技術を導入した。
【０００４】
ＳＦＮ伝送技術は、ＳＦＮネットワークにおける全てのセルが、同一の物理リソース（例えば、周波数・コードチャネル・スクランブリングコード・チャネル推定コード等）を利用し、同じＭＢＭＳサービスを同時刻に送信する技術であるため、セルの境界地帯に位置するユーザー端末でも、異なったセルから有効信号を受信し、全ての有効信号を直接に無線インタフェースでエネルギーコンバインできるだけではなく、異なった伝送路からのダイバーシチ・ゲインも得られる。図１は１種のＳＦＮネットワークの構成イメージ図を示す。当該ネットワークにおける各セルは、それぞれと３セクタにより構成され、且つ同じ基地局アドレスを共有している。次に、図１で示したネットワーク構成を例として、従来の３ＧＰＰのＥ−ＭＢＭＳ規範によるＳＦＮ伝送技術の実施例を説明する。コアネットワークから１つのブロードキャストサービスを開始した時に、無線ネットワークコントローラ（Ｒａｄｉｏ  Ｎｅｔｗｏｒｋ  Ｃｏｎｔｒｏｌｅｒ、以下ＲＮＣという）は、当該ＳＦＮネットワーク内の全セクタに対して、全く同じ時間リソース・周波数リソース・スクランブリングコード・チャネル推定コードを割り当てる。セル内のユーザー端末も同様に、前記時間リソース・周波数リソース・スクランブリングコード・チャネル推定コードを利用して当該ブロードキャストサービスを受信する。即ち、ユーザー端末として、当該ＳＦＮネットワークに含まれたセクタから送信された信号が、ユーザー端末のマルチパス受信機のウインドウに納められたものでさえあれば、ユーザー端末は受信ウインドウに納められた信号を直接にエネルギーコンバインできるため、ブロードキャストサービスの受信性能を大幅に改善していた。
【０００５】
次に、上記ＳＦＮ伝送技術におけるリソース分配と実現方法を元に、図２を参照して、従来の時分割同期−符号分割多重接続（ＴＤ−ＳＣＤＭＡ）システムに基づくＳＦＮネットワークにおけるＥ−ＭＢＭＳ送信の実現方法を説明する。コアネットワークから１つのブロードキャストサービスを開始し、多数のセクタに送信する時、ＲＮＣは、当該ブロードキャストサービスの複数の対象セクタを含む各基地局に、同様なブロードキャストサービスリソース（送信時刻、配信周波数・当該ブロードキャストサービスに利用されるスクランブルコードとチャネル推定（ｍｉｄａｍｂｌｅ）コード等）を割り当ると共に、シグナリングにより当該サービスリソース情報を各基地局（Ｎｏｄｅ  Ｂ）とユーザー端末に通知する。各セクタを含む各基地局は、それらの特別コードにより、ブロードキャストサービスデータをブロードキャストサービス信号に変換し、ＲＮＣから割り当てられたサービスリソースを利用して送信する。ユーザー端末は、対応するリソース位置において、複数のセルから同時刻に送信された同じブロードキャストサービス信号を受信した後、指定されたｍｉｄａｍｂｌｅコードでチャネル推定を行い、指定されたスクランブリングコードで受信データをデスクランブルし、受信したいブロードキャストサービスデータを取得できる。主に、次のステップを有することを特徴とする。
ステップ１：コアネットワークから１つのブロードキャストサービスを開始してから、シグナリングによりＲＮＣに通知し、ＲＮＣは当該サービスをどのセクタに送信するかを確定する。
ステップ２：ＲＮＣは当該サービスの対象セクタを含む各基地局に対して、同一のブロードキャストサービスリソース（同じ送信時刻・配信周波数・送信コードチャネル・当該ブロードキャストサービスに用いられるスクランブリングコード・ｍｉｄａｍｂｌｅコードが含まれる）を一括で割り当てる。
ここで指定されたスクランブリングコード及びｍｉｄａｍｂｌｅコードは、従来の非ブロードキャストサービスのためのコードとは同じものではない。予めブロードキャストサービスのために、従来のスクランブリングコードとｍｉｄａｍｂｌｅコードに良い関連性を持つコードグループを選択し、ブロードキャストサービス専用のコードとして、１つのブロードキャストサービスコードテーブルにまとめてから、ＲＮＣとユーザー端末と基地局に格納しておくことができる。ＲＮＣはあるブロードキャストサービスのためのリソースを割り当てる時、当該コードテーブルから１グループのスクランブリングコード・ｍｉｄａｍｂｌｅコードを選択し、対応するグループ番号を基地局とユーザー設備に通知し、シグナリングの通信負荷を軽減できるようにする。
ステップ３：基地局は当該ブロードキャストサービスを送信する時に、ＲＮＣから割り当てられたスクランブリングコード・ｍｉｄａｍｂｌｅコードにより、関連するブロードキャストサービスデータをブロードキャストサービス信号に変換し、ＲＮＣから割り当てられたサービスリソースを利用し、当該ブロードキャストサービスの信号を送信する。
ステップ４：ユーザー設備はＲＮＣから送信されたリソース割当情報により、対応するリソースにおいて当該ブロードキャストサービスの信号を受信する。複数のセルから送信された信号を受信する可能性があるため、その場合は、指定されたｍｉｄａｍｂｌｅコードによりチャネル推定を行い、複数のセルからユーザー設備までの全部のチャネル条件を取得し、このチャネル推定結果により受信データを逆拡散する。そして、指定されたスクランブリングコードで受信信号をデスクランブルし、受信したいブロードキャストサービスデータを取得する。
【発明の概要】
【発明が解決しようとする課題】
【０００６】
従来のＥ−ＭＢＭＳ送信方法は、伝統的なＭＢＭＳ送信技術を大幅に改善したが、しかしながら、ＳＦＮネットワーク内の隣接セクタの隣接境界地帯に非常に多発している受信信号の急速減衰という問題点があった。具体的には、２つの基地局より送信された同一サービス信号は、同時刻にユーザー端末の受信器に届き、且つ位相の正反対のものとなった場合、受信信号のエネルギーは完全に逆方向に重畳されるため、信号の大幅且つ急速な減衰及び信号品質の甚だしい劣化を引き起こす可能性は極めて高い。当現象は同一セルの隣接セクタの隣接境界地帯で一層起きやすい。原因は、同一セルの隣接セクタの隣接境界地帯のチャネル環境が非常に似ていることにある。具体的は、図３を例として説明する。例えば、セクタ１とセクタ０、セクタ１とセクタ２、セクタ０とセクタ２のように、互いに同一セル内の隣り合ったものである場合、同じ基地局アドレスを共有しているため、２セクタのチャネル環境が非常に似ている。又、それぞれ隣接するセクタを含む２つの基地局から送信されたサービス信号は、同時刻に２セクタの境界地帯に届く可能性が高い。更に又、２つのサービス信号はよく似たような減衰特性を持つため、ユーザー受信機に届くと、同位相或いは逆位相のものとなる確率は非常に高い。反位相のものとなった場合に、二つの信号のエネルギーは逆方向に重畳され、受信信号の大幅且つ急速な減衰及び信号品質の甚だしい劣化を引き起こすこととなる。シミュレーション結果もそのような傾向を一層検証した。
【課題を解決するための手段】
【０００７】
本発明は上記課題に鑑みて発明されたものであって、その目的は単一周波数ネットワークで、ブロードキャストサービスデータを送信する時、従来の同一セルの隣接セクタの隣接境界地帯に多発している受信信号の急速減衰という現象を削除できる送信方法、送信システム及び装置を提供することにある。
【０００８】
本発明にかかる単一周波数ネットワークにおけるブロードキャストサービスデータの送信方法は、無線ネットワークコントローラと、それぞれと１つ以上のセクタを含む１つ以上の基地局を有する前記単一周波数ネットワークにおいて、
前記無線ネットワークコントローラが、ブロードキャストサービスデータと第一送信時刻を基地局に送信するステップＡと、
前記基地局が、前記第一送信時刻の経過後に、前記ブロードキャストサービスデータを自身に含まれた全セクタに送信し始め、隣接セクタに対して、それぞれ異なる送信時刻に、前記ブロードキャストサービスデータを送信するステップＢと、
を含み、
本発明にかかる前記送信方法は更に、
予め前記セクタをグループ化し、同一セル内の各隣接セクタをそれぞれ違ったグループに分け、各グループ毎に違った時刻遅延単位に対応させるステップを含み、
その場合のステップＢは更に、
前記基地局が、前記第一送信時刻と自身に含まれた各セクタの対応する時刻遅延単位により、セクタ毎に対して前記ブロードキャストサービスデータを送信する第二送信時刻を計算し、前記第一送信時刻に当該セクタに対応した時刻遅延単位を加えることで算出したセクタ毎の第二送信時刻で、前記ブロードキャストサービスデータを当該セクタに送信するステップと、を含むことを特徴とする。
【０００９】
前記時刻遅延単位は、前記基地局が送信するブロードキャストサービスデータのメインパスが、ユーザー端末のマルチパス受信ウインドウに納められるかどうかにより設定されることを特徴とする。
【００１０】
前記時刻遅延単位は、ユーザー端末のマルチパス受信ウインドウのサイズから、前記ブロードキャストサービスデータを送信することに用いられたパス遅延を減算し、得られた結果より小さい値若しくは同じ値で設定されることを特徴とする。
【００１１】
本発明にかかる単一周波数ネットワークにおけるブロードキャストサービスデータの送信システムは、
ブロードキャストサービスデータと第一送信時刻を基地局に送信するための無線ネットワークコントローラと、
前記第一送信時刻が経過後に、自身に含まれた全セクタに前記ブロードキャストサービスデータを送信し始め、互いに隣接する各セクタに対して、それぞれ異なる送信時刻に、前記ブロードキャストサービスデータを送信する基地局を有することを特徴とする。
【００１２】
前記基地局は、自身に含まれた各セクタの対応する時刻遅延単位を保存し、互いに隣接するセクタに対して、それぞれ異なる時刻遅延単位に対応させ、前記第一送信時刻に各セクタ毎の対応する時刻遅延単位を加えたことで、隣接する各セクタ毎の第二送信時刻を算出し、算出した各セクタ毎の第二送信時刻により、当該セクタに前記ブロードキャストサービスデータを送信することを特徴とする。
【００１３】
前記基地局は、ユーザー端末のマルチパス受信ウインドウのサイズから前記ブロードキャストサービスデータを送信することに用いられたパス遅延を減算し、得られた結果より小さい値、もしくは同じ値で、前記時刻遅延単位を確定することを特徴とする。
【００１４】
本発明にかかる基地局は、無線ネットワークコントローラに接続され、
自身に含まれた各セクタに前記ブロードキャストサービスデータを送信する送信時刻（互いに隣接する各セクタに対して、それぞれ異なる送信時刻）を確定する時間確定ユニットと、
前記確定された送信時刻に、対応する各セクタに前記ブロードキャストサービスデータを送信する送信ユニットと
を含むことを特徴とする。
【００１５】
前記時間確定ユニットは、
前記無線ネットワークコントローラから送信された第一送信時刻と自身に含まれた各セクタの対応する時刻遅延単位を保存する保存ユニット（互いに隣接する各セクタに対して、それぞれ異なる時刻遅延単位を対応させる）と、
前記無線ネットワークコントローラから送信された第一送信時刻に各セクタの対応する時刻遅延単位を加えることで、各セクタ毎の対応する第二送信時刻を算出し、ユーザー端末のマルチパス受信ウインドウのサイズから、前記ブロードキャストサービスを送信するためのパス遅延を減算し、得られた結果より小さい値、若しくはそれと同じ値で、前記時刻遅延単位を得るための計算ユニットと
を含むことを特徴とする。
【００１６】
従来の技術に比較して、ＲＮＣより割り当てられた第一送信時刻が経過後に、基地局は、自身に含まれた各セクタにブロードキャストサービスデータを送信し始め、又、基地局アドレスを共有している互いに隣接する各セクタに対して、それぞれ異なる送信時刻で、前記ブロードキャストサービスデータを送信する。即ち、ブロードキャストサービスデータを同一セルの各隣接セクタに送信する送信時刻に、それぞれ異なる時刻遅延単位を導入する方法で、同一セルの隣接セクタの隣接境界地帯に多発していた受信信号の急速減衰を回避し、セクタ境界地帯に届いた信号の受信性能を向上できるようにする。
【図面の簡単な説明】
【００１７】
【図１】従来の技術における１種類のＳＦＮネットワーク構成ブロック図である。
【図２】従来の技術におけるＴＤ−ＳＣＤＭＡシステムに基づくブロードキャストサービスのデータ伝送イメージ図である。
【図３】従来の技術におけるＳＦＮネットワーク内の隣接セルのイメージ図である。
【図４】本発明にかかる送信方法のフロー図である。
【図５】本発明の実施形態に関するグループテーブルのイメージ図である。
【図６】本発明にかかる送信システムの構成イメージ図である。
【図７】本発明にかかる基地局の構成イメージ図である。
【発明を実施するための形態】
【００１８】
本発明はＳＦＮ（単一周波数ネットワーク）におけるブロードキャストサービスデータの送信方法を提供した。本発明の原理は、ＳＦＮ（単一周波数ネットワーク）内の隣接セクタに対して、ＲＮＣから一括で割り当てられた送信時刻を元に、それぞれ異なる送信遅延を導入することにより、同一セル内の隣接セクタに送信されたブロードキャストサービス信号が、隣接セクタの隣接境界地帯に同時刻に届くことにより引き起こされる隣接境界地帯の受信信号の急速減衰を回避する。
【００１９】
本発明にかかるブロードキャストサービスデータの送信方法は、無線ネットワークコントローラと１つ以上の基地局を含むＳＦＮ（単一周波数ネットワーク）に用いられる。各基地局のセルは１つ以上のセクタを含む（同一セルに含まれた各セクタは同じ基地局アドレスを共有する）。次に、図４を参照して、本送信方法の具体的な実施フローを説明する。
【００２０】
ステップ４０１で、ＲＮＣはブロードキャストサービスデータと第一送信時刻を基地局に送信する。
【００２１】
前記ステップ４０１において、コアネットワークは１つのブロードキャストサービスを開始してから、シグナリングによりＲＮＣに通知する。ＲＮＣは当該ブロードキャストサービスをＳＦＮ（単一周波数ネットワーク）のどのセクタに送信するかを確定し、送信の対象セクタのために、全く同じサービスリソースを割り当て、少なくとも第一送信時刻・配信周波数・コードチャネル・スクランブリングコード・チャネル推定コードを含むサービスリソース情報とブロードキャストサービスデータを、対象セクタを含む全ての基地局及びユーザー端末に送信する。
【００２２】
ここで、予めスクランブリングコードとチャネル推定コードをグループ化して、１つのグループテーブルに含めてから、当該ブロードキャストサービス専用のコードテーブルとして、ＲＮＣとユーザー端末及び基地局に保存しておくことができる。ＲＮＣは、当該サービスのためのリソースを割り当てる時、前記グループテーブルから１グループのコードを確定し、対応するコードグループの番号を基地局とユーザー設備に通知する。その方法により、シグナリング負荷を軽減できる。
【００２３】
ステップ４０２で、基地局は、前記第一送信時刻の経過後に、前記ブロードキャストサービスデータを自身に含まれた各セクタに送信し始め、また、互いに隣接する各セクタに対しては、それぞれ異なる送信時刻で、前記ブロードキャストサービスデータを送信する。
【００２４】
前記ステップ４０２において、予め、同一セル内の互いに隣接する各セクタを違ったグループに分け、各セクタグループを異なった時刻遅延単位に対応させておくことができる。当該時刻遅延単位は、基地局から送信されたブロードキャストサービスデータのメインパスがユーザー端末のマルチパス受信ウインドウに納められるかどうかにより設定し、ここで、ユーザー端末のマルチパス受信ウインドウのサイズから、ブロードキャストサービスデータを送信することに用いられたパス遅延の値を減算して、得られた結果より小さい値若しくは同じ値で設定する。
【００２５】
そこで、前記ステップ４０２は、基地局は前記第一送信時刻と自身に含まれた各セクタの対応する時刻遅延単位により、ブロードキャストサービスデータを各セクタに送信する第二送信時刻を算出し、即ち、前記第一送信時刻に当該セクタの対応する時刻遅延単位を加えることで算出するステップと、基地局は各セクタ毎の第二送信時刻で、前記ブロードキャストサービスデータを各セクタに送信するステップを有する。
【００２６】
好ましい形態では、予め１つのグループテーブルを基地局に保存することができる。当該テーブルは、１つ以上のグループ標識とセクタ標識と時刻遅延単位を含み、各グループ標識は、１つ以上のセクタ標識と１つの時刻遅延単位に対応し、又、各グループ標識は、それぞれ異なると違った時刻遅延単位に対応している。同一セル内の隣接セクタを異なるグループに分けることを保証するため、同一セル内の隣接セクタのセクタ標識を、それぞれ異なるグループ標識に対応させる。図３のＳＦＮネットワークに対して、図５で示したグループテーブルを作成できる。即ち、同一セル内の隣接セクタ０とセクタ１とセクタ２は、それぞれグループ１、グループ２、グループ３に分けられ、セクタ標識０とセクタ標識１とセクタ標識２は、それぞれグループ標識１とグループ標識２とグループ標識３に対応している。同様に、セクタ３とセクタ４とセクタ５も、セクタ６とセクタ７とセクタ８も、セクタ９とセクタ１０とセクタ１１も、それぞれ異なるグループに分けられた。又、グループ標識１とグループ標識２とグループ標識３は、それぞれとチップ、４チップ、８チップの時刻遅延単位に対応している。
【００２７】
基地局はブロードキャストサービスデータを送信する時、ステップ４０１に記述したＲＮＣから割り当てられたスクランブリングコードとチャネル推定コードを利用し、ＲＮＣから送信されたブロードキャストサービスデータをブロードキャストサービス信号に変換し、確定した第二送信時刻とステップ４０１に記述したＲＮＣから割り当てられた配信周波数により、ブロードキャストサービスデータを対応するセクタに送信する。
【００２８】
ステップ４０３で、ユーザー端末は受信されたブロードキャストサービスデータ信号をデコードし、ブロードキャストサービスデータを取得する。
【００２９】
前記ステップ４０３において、ユーザー端末は、ＲＮＣから送信されたサービスリソース情報により、対応するリソースで当該ブロードキャストサービス信号を受信する。複数のセクタからブロードキャストサービスデータ信号を受信した場合は、ＲＮＣから指定されたチャネル推定コードによりチャネル推定を行い、複数のセクタから当該ユーザー端末への全部チャネル条件を取得し、チャネル推定結果により当該信号を逆拡散してから、指定されたスクランブリングコードでデスクランブルし、受信したいブロードキャストサービスデータを取得する。シミュレーションの結果は、本発明にかかる送信方法に基づく受信信号の送信性能は、従来の技術より明らかに優れていることを示した。
【００３０】
本発明はまた、１種類のＳＦＮ（単一周波数ネットワーク）におけるブロードキャストサービスデータの送信システムも提供する。図６に示したように、当該システムは無線ネットワークコントローラ６０１と基地局６０２とを含み、前記無線ネットワークコントローラ６０１は、ブロードキャストサービスデータと第一送信時刻を基地局に送信し、
前記基地局６０２は、前記第一送信時刻が経過後に、前記ブロードキャストサービスデータを自身に含まれた全セクタに送信し、又、互いに隣接する各セクタに対して、それぞれ異なる時刻遅延単位で、前記ブロードキャストサービスデータを送信し、
前記基地局６０２は、自身に含まれた各セクタの対応する時刻遅延単位を保存し、互いに隣接するセクタには、それぞれ異なる対応する時刻遅延単位を保存し、
更にまた、前記第一送信時刻と自身に含まれた各セクタの対応する時刻遅延単位により、前記第一送信時刻に各セクタ毎の対応する時刻遅延単位を加えることで、各セクタに前記ブロードキャストサービスデータを送信する第二送信時刻を計算し、その第二送信時刻により、前記ブロードキャストサービスデータを各セクタに送信し、ユーザー端末のマルチパス受信ウインドウのサイズから前記ブロードキャストサービスデータを送信することに用いられたパス遅延を減らして、得られた結果より小さい値、若しくは同じ値で、前記時刻遅延単位を確定する。
【００３１】
本発明は更に又、ＳＦＮ（単一周波数ネットワーク）におけるブロードキャストサービスデータの送信システムに利用可能で、無線ネットワークコントローラに接続される１種類の基地局を提供する。図７に示したように、前記基地局は、無線ネットワークコントローラから送信された第一送信時刻により、前記ブロードキャストサービスデータを自身に含まれた全セクタに送信する送信時刻を確定し、互いに隣接する各セクタに対して、それぞれと違った時刻遅延単位を確定する時間確定ユニット７０１と、確定された送信時刻に、対応する各セクタに前記ブロードキャストサービスデータを送信する送信ユニット７０２を含むことを特徴とする。
前記時間確定ユニット７０１は更に、
前記無線ネットワークコントローラから送信された第一送信時刻と、前記基地局自身に含まれた各セクタ毎の時刻遅延単位（隣接セクタはそれぞれ異なる時刻遅延単位に対応している）を保存する保存ユニット７０１１と、
前記無線ネットワークコントローラから送信された第一送信時刻と、前記セクタ毎の時刻遅延単位により、ブロードキャストサービスデータを各セクタに送信する第二送信時刻を計算し、各セクタの対応する第二送信時刻は、前記無線ネットワークコントローラから送信された第一送信時刻に、前記基地局自身に含まれた各セクタ毎の時刻遅延単位を加えることで算出し、前記時刻遅延単位は、ユーザー端末のマルチパス受信ウインドウのサイズから、ブロードキャストサービスデータを送信するに用いられたパス遅延を減算して、得られた結果より小さい値、もしくはそれと同じ値で確定する計算ユニット７０１２と
を含むことを特徴とする。
【００３２】
本明細書では上述した実施例を参照し本発明を詳しく解説したが、当業者により、上述した技術的な解決手段を改造し、またはその中の一部の技術要素を置換することもできる。そのような改造と置換は本発明の各実施例の技術の範囲から逸脱するとは見なされない。
【図１】
2010510699.tif 000003
【図２】
2010510699.tif 000004
【図３】
2010510699.tif 000005
【図４】
2010510699.tif 000006
【図５】
2010510699.tif 000007
【図６】
2010510699.tif 000008
【図７】
2010510699.tif 000009
【国際調査報告】
2010510699.tif 000010
2010510699.tif 000011
2010510699.tif 000012
2010510699.tif 000013